(57)【要約】【課題】照明効率に優れると共に、撮像素子の主走査方向における周辺部の画像劣化を容易に抑制することができるようにする。【解決手段】  原稿面に向けて光を照射する光源１４０の前面に当該光源１４０から出力される光を副走査方向に集光させる集光体１４２を設け、この集光体１４２の主走査方向の両端面１７０、１７２が光源１４０と対向する底面１７４に対して鈍角をなすように形成されてなる照明部を備える。【選択図】図６
2008205844.tif 000002
【特許請求の範囲】
【請求項１】
原稿面からの反射光を原稿画像として撮像素子の受光面に結像させるようにした画像読取装置であって、前記原稿面に沿って走行可能に構成された走行体と、この走行体に取り付けられて前記原稿面に向けて光を照射するもので、前記走行体の走行方向と直交する主走査方向に伸びる光源と、この光源の前面に取り付けることにより当該光源から出力される光を前記走行体の走行方向である副走査方向に集光するもので、前記主走査方向の両端面が前記光源と対向する底面に対して鈍角をなすように形成された集光体とを含む照明部を備えたことを特徴とする画像読取装置。
【請求項２】
前記集光体は、前記両端面に前記底面から入力された前記光源から出力される光を内側に反射させる反射膜が形成されたものであることを特徴とする請求項１記載の画像読取装置。
【請求項３】
前記光源は、前記主走査方向に沿ってライン状に配列された複数の発光ダイオードにより構成されたものであることを特徴とする請求項１又は２記載の画像読取装置。
【請求項４】
原稿面からの反射光を原稿画像として撮像素子の受光面に結像させると共に、前記撮像素子により得た画像データに基づいて感光体ドラムに静電潜像の書き込みを行う画像形成装置であって、請求項１乃至３のいずれかに記載の画像読取装置を備えたことを特徴とする画像形成装置。
【発明の詳細な説明】
【技術分野】
【０００１】
本発明は、原稿面からの反射光を原稿画像として撮像素子の受光面に結像させるようにした画像読取装置、及び、この画像読取装置を備えた複写機、ファクシミリ装置、それらの機能を併せ持つ複合機などの画像形成装置に関する。
【背景技術】
【０００２】
近年、静電潜像が形成された感光体ドラムの表面にトナー像を形成し、このトナー像を記録紙に転写するようにした画像形成部を有する複写機やプリンタなどの画像形成装置が汎用されている。このような画像形成装置では、照明部を構成する光源（露光光源）から原稿面に光を照射することで得た反射光を原稿画像として結像レンズによりＣＣＤ（ＣｈａｒｇｅＣｏｕｐｌｅｄ Ｄｅｖｉｃｅ）などのラインセンサとしての撮像素子（光電変換素子）の受光面に結像させるようにした画像読取装置を備えている。
【０００３】
このような構成になる従来の画像読取装置では、原稿面に光を照射する光源として一般的にはキセノンランプなどの棒状光源が用いられている。このような棒状光源であるキセノンランプを用いた照明部では、原稿読取時における光源と原稿面との相対的な移動方向である副走査方向の照度分布（副走査方向断面配光）が図９に示すような平坦なピーク特性を有していることで照明効率の悪いものとなるため、副走査方向の集光性を向上させる必要があることに加え、結像レンズにより生じる歪の影響により撮像素子の副走査方向と直交する方向である主走査方向の周辺部で光量低下が生じ、これによる画質劣化を抑制する必要があるという課題があった。
【０００４】
このため、複数の発光ダイオードを主走査方向に沿ってライン状に配列する一方、各発光ダイオードをライン方向の中央部が疎となり、周辺部が密となるように配置して光源を構成すると共に、この光源と原稿面との間に集光レンズを介在させるようにすることが提案されている（例えば、特許文献１）。このように構成された照明部では、発光ダイオードの副走査方向の照度分布が図１０に示すような先鋭なピーク特性を有していることに加え、光源と原稿面との間に集光レンズが設けられていることから、照明効率に優れたものとなるだけでなく、周辺部に発光ダイオードが密となるように配置されていることから、光源の周辺部における光量が増大されることで撮像素子の主走査方向の周辺部での光量低下が生じにくくなって画質劣化を抑制することができる。
【特許文献１】特開平２−２８４５７１号公報
【発明の開示】
【発明が解決しようとする課題】
【０００５】
しかしながら、上記提案されている画像読取装置においては、照明効率に優れたものとなるだけでなく、撮像素子の主走査方向の周辺部での画質劣化を抑制することができるとはいうものの、周辺部の発光ダイオードの使用個数が増大することでコストアップにつながると共に、中央部と周辺部とで発光ダイオードの配列ピッチを変える必要があることから光源の製作が煩雑になるという問題がある。
【０００６】
本発明は、このような事情に鑑みてなされたもので、照明効率に優れると共に、撮像素子の主走査方向の周辺部での画像劣化を容易に抑制することができる画像読取装置及び画像形成装置を提供することを目的とする。
【課題を解決するための手段】
【０００７】
上記目的を達成するため、請求項１の発明は、原稿面からの反射光を原稿画像として撮像素子の受光面に結像させるようにした画像読取装置であって、前記原稿面に沿って走行可能に構成された走行体と、この走行体に取り付けられて前記原稿面に向けて光を照射するもので、前記走行体の走行方向と直交する主走査方向に伸びる光源と、この光源の前面に取り付けることにより当該光源から出力される光を前記走行体の走行方向である副走査方向に集光するもので、前記主走査方向の両端面が前記光源と対向する底面に対して鈍角をなすように形成された集光体とを含む照明部を備えたことを特徴としている。
【０００８】
請求項２の発明は、請求項１に係るものにおいて、前記集光体が、前記両端面に前記底面から入力された前記光源から出力される光を内側に反射させる反射膜が形成されたものであることを特徴としている。
【０００９】
請求項３の発明は、請求項１又は２に係るものにおいて、前記光源が、前記主走査方向に沿ってライン状に配列された複数の発光ダイオードにより構成されたものであることを特徴としている。
【００１０】
請求項４の発明は、原稿面からの反射光を原稿画像として撮像素子の受光面に結像させると共に、前記撮像素子により得た画像データに基づいて感光体ドラムに静電潜像の書き込みを行う画像形成装置であって、請求項１乃至３のいずれかに記載の画像読取装置を備えたことを特徴としている。
【発明の効果】
【００１１】
請求項１の発明によれば、光源からの出力光が集光体により副走査方向に集光されるため、照明効率に優れたものとなるだけでなく、集光体の主走査方向の両端面が光源と対向する底面に対して鈍角をなすように形成されているため、光源から入射した光の集光体の両端面での反射角が大きくなることで集光体の主走査方向における周辺部の光量が増大されることになる結果、撮像素子の主走査方向における周辺部の画像劣化を容易に抑制することができる画像読取装置となる。
【００１２】
請求項２の発明によれば、集光体の両端面に反射膜が形成されているため、両端面での反射光量が多くなることで集光体の主走査方向における周辺部の光量がより増大されることになる結果、撮像素子の主走査方向における周辺部の画像劣化を容易に抑制することができる画像読取装置となる。
【００１３】
請求項３の発明によれば、光源が主走査方向に沿ってライン状に配列された複数の発光ダイオードにより構成されたものであるため、照度分布が先鋭なピーク特性を有することで照明効率に優れたものとなり、電力消費を効果的に抑制することできる。
【００１４】
請求項４の発明によれば、光源からの出力光が集光体により副走査方向に集光されるため、照明効率に優れたものとなるだけでなく、集光体の主走査方向の両端面が光源と対向する底面に対して鈍角をなすように形成されているため、光源から入射した光の集光体の両端面での反射角が大きくなることで集光体の主走査方向における周辺部の光量が増大されることになる結果、撮像素子の主走査方向における周辺部の画像劣化を容易に抑制することができる画像形成装置となる。
【発明を実施するための最良の形態】
【００１５】
図１は、本発明の一実施形態に係る画像読取装置が適用される画像形成装置の概略構成を説明するための内部構成図である。この図において、画像形成装置１０は、光を電気信号に変換する撮像素子により取り込んだ原稿画像に基づいて記録紙に対し画像を形成するようにした複写機を構成するものであり、原稿画像を読み取る画像読取部１２と、画像読取部１２の上方に位置する原稿載置部１４と、画像読取部１２の下方に位置する画像形成部１６とを備えている。
【００１６】
画像読取部１２は、画像読取装置を構成するもので、第１光学系１８と、第２光学系２０と、画像取込部２２とを備えている。第１光学系１８は、原稿面に光を照射して原稿画像を読み取るためのものであり、ライン状に配列された複数の発光ダイオードからなる光源（露光光源）を含む照明部２４と、照明部２４により照射されることで得られた原稿面からの反射光を水平方向に向けることにより第２光学系２０に導く反射ミラー２６とを一体に備えている。なお、照明部２４の具体的構成例については後述する。
【００１７】
第２光学系２０は、第１光学系１８の図中左方に配設され、第１光学系１８により得た原稿面からの反射光を画像取込部２２に導くものであり、第１光学系１８の反射ミラー２６で反射された原稿面からの反射光を画像取込部２２に導くための第１反射ミラー２８及び第２反射ミラー３０を備えている。これら第１反射ミラー２８及び第２反射ミラー３０は、第１光学系１８の反射ミラー２６で反射された原稿面からの反射光を第１反射ミラー２８で受光して第２反射ミラー３０に導くと共に、第２反射ミラー３０で反射された原稿面からの反射光を水平方向に向けることで画像取込部２２に導くように構成されている。
【００１８】
画像取込部２２は、第２光学系２０の図中右方に配設され、光を電気信号に変換することで反射光からなる原稿画像を読み込むＣＣＤ（ＣｈａｒｇｅＣｏｕｐｌｅｄ Ｄｅｖｉｃｅ）からなるラインセンサとしての撮像素子３４が搭載された回路基板３６と、回路基板３６よりも第２光学系２０側に配設され、第２光学系２０により導かれた反射光からなる原稿画像を撮像素子３４の受光面に結像させる結像レンズ３８とを備えたものである。なお、撮像素子３４で読み取られた原稿画像は所定の信号処理が施された後にデジタル信号に変換され、図略の記憶素子に記憶されるようになっている。
【００１９】
また、画像読取部１２の上部には、第１光学系１８及び第２光学系２０を原稿載置部１４における図中左端位置と図中右端位置間方向において走行ガイドする一対のガイドレール４０（図中では一方のみ図示）が幅方向（図１の紙面を貫く方向）両端に配設されており、第１光学系１８及び第２光学系２０がガイドレール４０に係合され、図略の駆動モータによりガイドレール４０に沿って往復動するように構成されている。ここで、第１光学系１８及び第２光学系２０がガイドレール４０に沿って走行する方向を副走査方向といい、第１光学系１８及び第２光学系２０の走行方向と直交する方向を主走査方向という。
【００２０】
原稿載置部１４は、画像読取部１２の上部に装着されたコンタクトガラス４２と、このコンタクトガラス４２上面において開閉する原稿押え部４４と、この原稿押え部４４の上方に配設された自動原稿給送部４６とを備えている。ここで、コンタクトガラス４２は、自動原稿給送部４６により搬送される原稿が通過する第１コンタクトガラス４８及び静止原稿が載置される第２コンタクトガラス５０とから構成されている。なお、原稿押え部４４は、その上面が自動原稿給送部４６に載置される原稿束の排出部を構成している。
【００２１】
自動原稿給送部４６は、所定位置に載置された原稿束を１枚ずつ順に第１コンタクトガラス４８上に自動給送する一方、読み取りの終了した原稿を順に原稿押え部４４上面の排出部に戻すようにしたものである。
【００２２】
画像形成部１６は、レーザスキャナユニット５２と、像形成部５４と、定着部５６と、用紙搬送部５８とから構成されている。レーザスキャナユニット５２は、上記の図略の記憶素子から読み出された撮像素子３４で読み取った原稿画像を後述する感光体ドラム７０に露光するためのものであり、その読み出された画像データに基づいて生成された変調信号をレーザビームに変換して出力するレーザ発光部６０と、このレーザ発光部６０から出力されるレーザビームを後述する感光体ドラム７０に向けて反射するための回転多面体であるポリゴンミラー６２と、ポリゴンミラー６２により主走査方向に偏向走査された光を等速運動に変換するためのｆθレンズ６４と、ポリゴンミラー６２により反射され、ｆθレンズ６４を透過したレーザビームを感光体ドラム７０の露光位置に導く反射ミラー６６とを備えている。
【００２３】
ここで、ポリゴンミラー６２は、図略のポリゴンモータにより所定方向に一定速度で回転駆動され、レーザ発光部６０から出力されるレーザビームを反射するミラー面の角度が順次変化することにより、レーザビームを感光体ドラム７０の幅方向に走査させるように構成されている。すなわち、ポリゴンミラー６２は、レーザ発光部６０から出力されるレーザビームを偏光して感光体ドラム７０に照射することで静電潜像の書き込みを行うようにしたものである。
【００２４】
像形成部５４は、定速回転される感光体ドラム７０を備えると共に、この感光体ドラム７０の周面に沿って帯電器７２と、現像部７４と、クリーニング部７６と、光照射部７８とを順に備えている。感光体ドラム７０は、図略の駆動モータにより図示の時計方向（矢印方向）に回転駆動されるものであり、帯電器７２と対向する位置で静電領域が形成され、この静電領域にレーザスキャナユニット５２から原稿画像に基づいて出力されるレーザビームが照射されることで静電潜像が形成され、現像部７４と対向する位置で静電潜像がトナー像に現像される。感光体ドラム７０の下方には転写ローラ８２が配設されており、トナー像が形成された感光体ドラム７０は、その転写ローラ８２と対向する位置で記録紙にトナー像を転写する。記録紙にトナー像を転写し終えた感光体ドラム７０は、クリーニング部７６と対向する位置で表面に残留しているトナーが除去され、光照射部７８で感光体ドラム７０表面に残留している電荷が除去される。
【００２５】
帯電器７２は、例えば、感光体ドラム７０の幅方向の長さを有する帯電ワイヤ８４を備えたものであり、帯電ワイヤ８４に図略の高圧電源から高圧を印加して感光体ドラム７０に電荷を付与することで感光体ドラム７０の表面に静電領域を形成する。現像部７４は、例えば、トナーとキャリアとからなる２成分系の現像剤を使用するものであり、内部に現像剤が装填される現像本体部８６と、感光体ドラム７０に近接した状態で現像本体部８６に内装された現像ローラ８８と、現像本体部８６の上部に装着されたトナーカートリッジ９０とを備えたものである。
【００２６】
現像本体部８６は、図略の攪拌ローラなどを内部に備えており、現像剤を攪拌することでキャリアとトナーとが摩擦され、これによりトナーが帯電されるようにしたものである。現像ローラ８８は、図略の駆動電源から駆動電圧が供給されることで表面が帯電した状態とされるもので、この現像ローラ８８の表面に静電的に付着されたトナーを感光体ドラム７０の表面に付着させるものである。トナーカートリッジ９０は、現像本体部８６内に補給するトナーが充填されたものである。
【００２７】
光照射部７８は、除電部を構成するもので、発光ダイオードなどの半導体発光素子を含んで構成された半導体発光素子列の各発光面を感光体ドラム７０の表面に向けると共に、感光体ドラム７０の軸心方向に沿って配設されたものである。
【００２８】
定着部５６は、像形成部５４でトナー像が転写された記録紙を加熱することにより定着処理を行うものであり、熱遮蔽ボックス９４内の上部に配設され、内蔵されたヒータにより加熱される定着ローラ９６と、熱遮蔽ボックス９４内の下部に配設され、定着ローラ９６に圧接される加圧ローラ９８とを備えたものである。
【００２９】
用紙搬送部５８は、記録紙を矢印Ａで示す経路に沿って搬送するものであり、所定サイズの記録紙が集積された状態で収納される給紙カセットＰＣを装填するカセット装填部１０２と、このカセット装填部１０２に装填された給紙カセットＰＣ内から図略の給紙ローラにより引き出された記録紙を感光体ドラム７０に導く上流側搬送路１０４と、感光体ドラム７０でトナー像が転写された記録紙を定着部５６の定着ローラ９６及び加圧ローラ９８間を経由させて図中左方に取り付けられた排出トレー１０６に導く下流側搬送路１０８とを備えている。
【００３０】
図２は、上述した照明部２４の具体的構成例を説明するための側面図である。この図において、照明部２４は、第１光学系１８がガイドレール４０に沿って往復動することで原稿面に沿って走行する枠状の走行体１１２と、この走行体１１２に搭載された光源部１１４とを備えている。
【００３１】
走行体１１２は、金属材料や樹脂材料などの硬質材料で構成されたもので、図３に示すように、主走査方向に伸び、コンタクトガラス４２上の原稿の幅寸法（図１の紙面を貫く方向）よりも長い幅寸法（主走査方向寸法）を有する平板部１１６と、平板部１１６の主走査方向の両端において下方に折り曲げられた側壁部１１８、１２０と、各側壁部１１８、１２０の下端において外方に伸びるように折り曲げられた鍔部１２２、１２４とから形成されたものである。
【００３２】
この走行体１１２の平板部１１６には、副走査方向の略中央部に原稿面からの反射光を下方に導くための主走査方向に伸びるスリット１２６が形成されると共に、一方の側壁部１１８側に光源部１１４をねじ止めするための副走査方向に対となるねじ孔１２８、１３０と、他方の側壁部１２０側に光源部１１４をねじ止めするための副走査方向に対となるねじ孔１３２、１３４とが形成されている。なお、走行体１１２の平板部１１６の下方には、スリット１２６を介して導かれた原稿面からの反射光を第２光学系２０に導くための上述した反射ミラー２６が側壁部１１８、１２０を利用するなどして取り付けられている。
【００３３】
光源部１１４は、走行体１１２の平板部１１６に取り付けられた保持部材１３８と、この保持部材１３８に取り付けられた光源（露光光源）１４０と、光源１４０から出力される光を副走査方向に集光（収斂）させる集光体１４２と、光源１４０からの散乱光を反射して原稿面に導く反射部材１４４とを備えたものである。
【００３４】
保持部材１３８は、金属材料や樹脂材料などの硬質材料で構成されたもので、図４に示すように、主走査方向に伸び、コンタクトガラス４２上の原稿の幅寸法（図１の奥行き方向）よりも長い幅寸法（主走査方向寸法）を有し、光源１４０を取り付けるための斜面部１４６が走行体１１２の平板部１１６面から鋭角で立ち上がるように屈曲形成されたものである。
【００３５】
この保持部材１３８には、斜面部１４６よりも第２光学系２０寄りの位置に原稿面からの反射光を下方に導くための主走査方向に伸びるスリット１４８が形成されると共に、主走査方向の一方の端部側において走行体１１２にねじ止めするための副走査方向に対となる貫通孔１５０、１５２と、主走査方向の他方の端部側において走行体１１２にねじ止めするための副走査方向に対となる貫通孔１５４、１５６とが形成されている。
【００３６】
このスリット１４８は、走行体１１２の平板部１１６に形成されたスリット１２６と対応する位置に形成されると共に、一方の端部側の貫通孔１５０、１５２及び他方の端部側の貫通孔１５４、１５６は、走行体１１２の平板部１１６に形成された一方の側壁部１１８側に形成されたねじ孔１２８、１３０及び他方の側壁部１２０側に形成されたねじ孔１３２、１３４と対応する位置に形成されたものである。
【００３７】
光源１４０は、走行体１１２の走行方向と直交する方向である主走査方向に伸びるように形成されたもので、その主走査方向の長さがコンタクトガラス４２上の原稿の幅寸法（図１の奥行き方向）に近似した長尺状に形成されており、光源部１１４の要部である図５に示すように、主走査方向に沿って配設された長尺状の取付基板１５８に所定ピッチでライン状に配列されて搭載された複数の発光ダイオード１６０により構成され、発光ダイオード１６０の搭載された取付基板１５８が保持部材１３８の斜面部１４６に取り付けられたものである。なお、光源１４０の両側には、発光ダイオード１６０からの散乱光を中央に集める反射フード１６２（図２）が設けられている。
【００３８】
集光体１４２は、光源１４０の前面において各発光ダイオード１６０に対向して配設され、その主走査方向の長さがコンタクトガラス４２上の原稿の幅寸法（図１の奥行き方向）に近似した長さを有するもので、光源部１１４の要部である図５に示すように、外側に位置する集光レンズ部１６６と、内側に位置し、各発光ダイオード１６０からの出力光を集光レンズ部１６６に導く導光部１６８とが光学材料により一体的に形成されたものである。
【００３９】
この集光体１４２は、光源部１１４の要部である図５及び図６に示すように、その主走査方向の両端面１７０、１７２が光源１４０と対向する底面１７４とのなす角が９０°よりも大きい鈍角をなすように形成されている。なお、この集光体１４２は、主走査方向の両端部が取付基板１５８の主走査方向の互いに対向する両端に立設された支持板１７６、１７６（図２に一方のみ図示）にその一部が係合されるなどして支持されている。
【００４０】
このように構成された光源部１１４では、光源１４０が発光ダイオード１６０により構成されると共に、光源１４０からの出力光が集光体１４２により副走査方向に集光されることで照明効率に優れたものとなる。また、図６に示すように、光源１４０の主走査方向の周辺部に存在する発光ダイオード１６０の集光体１４２に入射される出力光の一部は端面１７０、１７２で反射して集光体１４２から出力されることになるが、その端面１７０、１７２の底面１７４とのなす角が鈍角となっていることで、端面１７０、１７２の底面１７４とのなす角が直角などの鈍角でない場合に比べて集光体１４２の端面１７０、１７２での反射角が大きくなることで端面１７０、１７２に近い位置から出力されることになり、集光体１４２の主走査方向における周辺部の光量が増大されることになる。
【００４１】
このため、図７（ａ）に示すように、結像レンズ３８の影響による撮像素子３４の主走査方向の周辺部での光量低下が生じにくくなって画像劣化を効果的に抑制することができる。なお、図７（ｂ）は、従来例での撮像素子３４の主走査方向の周辺部での光量低下が生じた状態を比較のために示す図である。
【００４２】
反射部材１４４は、主走査方向の長さが光源１４０と略同じ寸法に形成されたもので、スリット１４８よりも第２光学系２０側の位置に配設され、保持部材１３８の一部を切り起こすなどして形成された第２光学系２０側に傾斜する支持体１８６に固定されたものである。
【００４３】
このように構成された照明部２４は、保持部材１３８に形成された一方の端部側の貫通孔１５０、１５２及び他方の端部側の貫通孔１５４、１５６を走行体１１２に形成された一方の側壁部１１８側のねじ孔１２８、１３０及び他方の側壁部１２０側のねじ孔１３２、１３４の位置にそれぞれ合致させた後に頭部を有するねじ部材１９０を貫通孔１５０、１５２及び貫通孔１５４、１５６を介してねじ孔１２８、１３０及びねじ孔１３２、１３４に螺合させて締め付けることにより光源部１１４が走行体１１２に取り付けられる。
【００４４】
これにより、主走査方向の周辺部の光量が増大された光源１４０からの出力光による原稿面からの反射光は保持部材１３８のスリット１４８と走行体１１２のスリット１２６とを通過して走行体１１２に取り付けられた反射ミラー２６に導かれ、第２光学系の第１、第２反射ミラー２８、３０で反射されて結像レンズ３８を介して撮像素子３４に導かれることになる。
【００４５】
上記のように構成された画像形成装置１０は、次のように動作する。すなわち、原稿束を自動原稿給送部４６に載置する一方、図略の操作盤で画像形成部数を設定すると共に、画像形成濃度、画像形成倍率などを設定した後に図略のスタートボタンをオン操作することで原稿が第１コンタクトガラス４８上に順次搬送され、第１コンタクトガラス４８上を通過する。このとき、第１コンタクトガラス４８に対応する位置に停止している照明部２４を構成する光源１４０により原稿面に光が照射されることで得られた原稿面からの反射光が第１光学系１８の反射ミラー２６と、第２光学系２０の第１反射ミラー２８及び第２反射ミラー３０とを介して撮像素子３４に導かれることで原稿画像が読み取られ、図略の記憶素子に記憶される。第１コンタクトガラス４８上を通過した原稿は原稿押え部４４上面の排出部に排出される。
【００４６】
原稿が書籍等のように綴じられたものである場合などには、原稿押え部４４を開けてその原稿を第２コンタクトガラス５０上に載置する一方、図略の操作盤で画像形成部数を設定すると共に、画像形成濃度、画像形成倍率などを設定した後に図略のスタートボタンをオン操作することで照明部２４が移動して原稿面を走査し、照明部２４の光源１４０から原稿面に光が照射されることで得られた原稿面からの反射光が第１光学系１８の反射ミラー２６と、第２光学系２０の第１反射ミラー２８及び第２反射ミラー３０とを介して撮像素子３４に導かれて読み取られ、図略の記憶素子に記憶される。
【００４７】
一方、帯電器７２により感光体ドラム７０の表面が帯電され、図略の記憶素子に記憶された原稿画像に応じたレーザビームが発射されてポリゴンミラー６２により偏光されて照射されることで感光体ドラム７０の表面が露光されることにより静電潜像が形成される。次いで、現像部７４から感光体ドラム７０に供給されるトナーが静電潜像に付着することで感光体ドラム７０の表面にトナー像が形成される。
【００４８】
そして、給紙カセットＰＣに収納された記録紙が、図略の給紙ローラによって上流側搬送路１０４を介してレジストローラ対側に給紙されると共に、上記静電潜像の形成と同期してレジストローラ対により感光体ドラム７０と転写ローラ８２との間に搬送される。この感光体ドラム７０と転写ローラ８２との間に搬送された記録紙は、静電潜像の極性とは逆極性の電圧が印加された転写ローラ８２により感光体ドラム７０のトナー像が転写され、その後に感光体ドラム７０から分離されて下流側搬送路１０８を介して定着部５６に搬送され、定着処理が行われた後に排出トレー１０６に排出される。
【００４９】
トナー像を転写し終えた感光体ドラム７０は、クリーニング部７６で表面に残留しているトナーが除去される一方、光照射部７８で感光体ドラム７０の表面に残留している電荷が除去される。そして、これらの動作が順次繰り返されることで所定枚数の記録紙に対する画像形成が実行される。
【００５０】
本発明の画像読取装置が適用される画像形成装置１０では、上記実施形態で説明したように、光源１４０が発光ダイオード１６０により構成されると共に、光源１４０からの出力光が集光体１４２により副走査方向に集光されることで照明効率に優れたものとなることに加え、集光体１４２の主走査方向の両端面が光源１４０と対向する底面に対して鈍角をなすように形成されていることで集光体１４２の主走査方向における周辺部の光量が増大されることになる結果、結像レンズ３８の影響による撮像素子３４の主走査方向における周辺部の画像劣化を容易に抑制することができる。
【００５１】
なお、本発明に係る画像読取装置が適用される画像形成装置１０は、上記実施形態のものに限定されるものではなく、例えば、以下に述べるような種々の変形態様を必要に応じて採用することができる。
【００５２】
（１）上記実施形態では、光源１４０は、複数の発光ダイオード１６０を主走査方向に沿ってライン状に配列して構成したものであるが、これに限るものではない。例えば、集光体１４２により光源１４０からの出力光を副走査方向に集光（収斂）させることができるものであれば、発光ダイオード１６０とは発光原理の異なる他の点状発光素子を主走査方向に沿ってライン状に配列して構成した光源であってもよいし、主走査方向の全体が均一に発光する棒状光源であってもよい。
【００５３】
（２）上記実施形態では、集光体１４２は、その主走査方向の両端面１７０、１７２の底面１７４とのなす角を鈍角に形成しただけのものであるが、これに限るものではない。例えば、図８に示すように、主走査方向の両端面１７０、１７２に外側からアルミニュームなどの金属材料を蒸着するなどして光源１４０からの入射光を内側に反射させる反射膜１９４を形成するようにしてもよい。これにより、両端面１７０、１７２における反射光量が増大することで集光体１４２から出力される主走査方向における周辺部の光量をより増大させることができる。
【００５４】
なお、反射膜１９４の有無にかかわらず、主走査方向の両端面１７０、１７２の底面１７４とのなす角を、取付基板１５８の主走査方向における周辺部の所定の位置（例えば、最も外側の位置）にある発光ダイオード１６０からの入射光が全反射するような鈍角に形成すると周辺部の光量をより増大させることができる。また、反射膜１９４の有無にかかわらず、主走査方向の両端面１７０、１７２の底面１７４とのなす角を図５及び図６に示すような鈍角にした上で、外周面を凸曲面としてもよい。
【００５５】
（３）上記実施形態では、集光体１４２は、集光レンズ部１６６と導光部１６８とが一体的に形成されたものであるが、これに限るものではない。例えば、導光部１６８の発光ダイオード１６０側に別の集光レンズ部を一体的に形成するようにしてもよいし、導光部１６８を形成せずに集光レンズ部１６６のみで構成するようにしてもよい。
【００５６】
（４）上記実施形態では、光源１４０は、保持部材１３８に取り付けられたものであるが、これに限るものではない。例えば、保持部材１３８を用いないで、走行体１１２の平板部１１６の一部を切り起すなどして走行体１１２に直接、取り付けるようにすることも可能である。このように、保持部材１３８を用いない場合、反射部材１４４を支持している支持体１８６についても走行体１１２の平板部１１６の一部を切り起すなどして形成するようにすればよい。なお、光源１４０は、保持部材１３８を用いる場合も保持部材１３８を用いない場合も走行体１１２に取り付けられたものであることに相違ない。
【００５７】
（５）上記実施形態では、光源部１１４が反射部材１４４を備えたものであるが、これに限るものではない。例えば、光源１４０からの散乱光が少ないような場合では、反射部材１４４は必ずしも必要としない。
【００５８】
（６）上記実施形態では、光源部１１４が反射フード１６２を備えたものであるが、これに限るものではない。例えば、光源１４０からの散乱光が少ないような場合では、反射フード１６２は必ずしも必要としない。
【００５９】
（７）上記実施形態では、画像取込部２２が撮像素子３４としてＣＣＤを用いたＣＣＤ方式により構成されたものであるが、これに限るものではない。例えば、ＣＣＤに代えてＣ-ＭＯＳセンサを用いたＣＩＳ（Ｃｏｎｔａｃｔ Ｉｍａｇｅ Ｓｅｎｓｏｒ）方式により構成することも可能である。この場合、反射ミラー２６、２８、３０は不要になると共に、Ｃ-ＭＯＳセンサが走行体１１２の反射ミラー２６の位置に設置されることになる。
【００６０】
（８）上記実施形態では、本発明の画像読取装置が適用される画像形成装置１０は感光体ドラム７０を１つしか備えていないモノクロ複写機を構成するものであるが、これに限るものではない。例えば、複数の感光体ドラムを備えたカラー複写機としたり、１つの感光体ドラムを備えたカラー複写機としたりすることも可能である。また、複写機に限らず、ファクシミリ装置やそれらの機能を併せ持つ複合機などを構成するものであってもよい。
【図面の簡単な説明】
【００６１】
【図１】本発明の一実施形態に係る画像読取装置が適用された画像形成装置の概略構成を説明するための内部構成図である。
【図２】図１に示す画像形成装置に適用された画像読取装置の具体的構成例を説明するための一部を切り欠いて示す側面図である。
【図３】図２に示す画像読取装置の照明部を構成する走行枠体の斜視図である。
【図４】図２に示す画像読取装置の照明部を構成する保持部材の斜視図である。
【図５】図２に示す画像読取装置の光源部の要部を示す斜視図である。
【図６】図５に示す光源部の集光体の端面における反射光を説明するための側面図である。
【図７】撮像素子の受光面に入射される主走査方向の光量を示す図で、（ａ）は本発明の構成例のもの、（ｂ）は従来例のものである。
【図８】図５に示す光源部の集光体の端面の別の構成例を説明するための側面図である。
【図９】キセノンランプの副走査方向の照度分布を示す図である。
【図１０】発光ダイオードの副走査方向の照度分布を示す図である。
【符号の説明】
【００６２】
１０  画像形成装置
１２  画像読取部（画像読取装置）
２２  画像取込部
２４  照明部
２６  反射ミラー
３４  撮像素子
７０  感光体ドラム
１１２  走行体
１３８  保持部材
１４０  光源
１４２  集光体
１６０  発光ダイオード
１７０、１７２  端面
１７４  底面
１９４  反射膜
【図１】
2008205844.tif 000003
【図２】
2008205844.tif 000004
【図３】
2008205844.tif 000005
【図４】
2008205844.tif 000006
【図５】
2008205844.tif 000007
【図６】
2008205844.tif 000008
【図７】
2008205844.tif 000009
【図８】
2008205844.tif 000010
【図９】
2008205844.tif 000011
【図１０】
2008205844.tif 000012